(57)【要約】【課題】クラゲを効率的に捕獲して脱水処理するクラゲ捕獲脱水方法と、船載可能なクラゲ捕獲脱水装置を提供することを目的とする。【解決手段】細断装置を海に浮遊させて細断装置内に海水ごとクラゲを取り込んでクラゲを細断処理し、細断処理したクラゲ細断物を脱水装置に移送し、脱水装置でクラゲ細断物を脱水して船体に収納可能にしたことを特徴とする。【選択図】  図１
2008167707.tif 000002
【特許請求の範囲】
【請求項１】
細断装置を海に浮遊させて細断装置内に海水ごとクラゲを取り込んでクラゲを細断処理し、
細断処理したクラゲ細断物を脱水装置に移送し、
脱水装置でクラゲ細断物を脱水して船体に収納可能にしたことを特徴とするクラゲの捕獲脱水方法。
【請求項２】
海に浮遊させて海水ごとクラゲを取り込んでクラゲを細断処理する細断装置と、
クラゲ細断物を船体に収納可能に脱水処理する脱水装置と、
細断装置から脱水装置にクラゲ細断物を移送する移送管とを備えたことを特徴とするクラゲの捕獲脱水装置。
【請求項３】
細断装置は、略筒形の筒部の内側に、クラゲを海水ごと筒部の取込口から吸引して排出口から送出するポンプと、クラゲを細断するカッターとを設け、
筒部の外側に、細断装置を海に浮遊させるフロート部を設けてあることを特徴とする請求項２記載のクラゲの捕獲脱水装置。
【請求項４】
細断装置に圧縮空気を供給する圧縮空気供給機を船体に備え、
圧縮空気供給機が供給した圧縮空気を細断装置の筒部取込口側から筒部排出口側に向けて筒部内に噴出させることを特徴とする請求項３記載のクラゲの捕獲脱水装置。
【請求項５】
船体と細断装置とを連結する沈下量調節鎖を備えたことを特徴とする請求項２〜４のいずれかに記載のクラゲの捕獲脱水装置。
【請求項６】
脱水装置は、クラゲ細断物を含む海水からクラゲ細断物を分離して一次脱水する遠心脱水機と、
遠心脱水機で一次脱水したクラゲ細断物を二次脱水するスクリュー脱水機を有することを特徴とする請求項２〜５のいずれかに記載のクラゲの捕獲脱水装置。
【請求項７】
遠心脱水機は、頂部を上方に配置した円錐側面形スクリーンを円錐軸方向に回転駆動する透水性の回転スクリーン体と、
側面に削取口を有するシュート付スクレーパーとを有し、
海水を含むクラゲ細断物を円錐側面形スクリーン内面に吹き付けて遠心作用により一次脱水し、
円錐側面形スクリーン内面に付着したクラゲ細断物は、一部はシュート付スクレーパーの削取口から送出して、円錐側面形スクリーンから剥がれ落ちたクラゲ細断物は落下させ、
スクリュー脱水機は、遠心脱水機の円錐側面形スクリーンの下方に位置し、上方開口部を有するケーシングと、
ケーシング内で駆動するスクリューとを有し、
円錐側面形スクリーンから剥がれ落ちたクラゲ細断物をケーシングとスクリューとの間の圧縮作用により搬送二次脱水し、細断することを特徴とする請求項６記載のクラゲの捕獲脱水装置。
【請求項８】
細断装置および脱水装置に圧力水を供給する圧力水供給機を備え、
細断装置は圧力水供給機が供給した圧力水で回転駆動してポンプおよびカッターを駆動するタービンを有し、
脱水装置は圧力水供給機が供給した圧力水で回転駆動して遠心脱水機の回転スクリーン体とスクリュー脱水機のスクリューを駆動するタービンを有することを特徴とする請求項７記載のクラゲの捕獲脱水装置。
【請求項９】
略筒形の筒部の内側に、クラゲを海水ごと筒部の取込口から吸引して排出口から送出するポンプと、クラゲを細断するカッターとを設け、
筒部の外側に、筒部取込口を海中に沈めた状態で浮力により細断装置を海に浮遊させるフロート部を設けてあることを特徴とするクラゲの細断装置。
【請求項１０】
クラゲ細断物を一次脱水する遠心脱水機と二次脱水するスクリュー脱水機を備え、
遠心脱水機は、頂部を上方に配置した円錐側面形スクリーンを円錐軸方向に回転駆動する透水性の回転スクリーン体と、
側面に削取口を有するシュート付スクレーパーとを有し、
海水を含むクラゲ細断物を円錐側面形スクリーン内面に吹き付けて遠心作用により一次脱水し、
円錐側面形スクリーン内面に付着したクラゲ細断物は、一部はシュート付スクレーパーの削取口から送出して、円錐側面形スクリーンから剥がれ落ちたクラゲ細断物は落下させ、
スクリュー脱水機は、遠心脱水機の円錐側面形スクリーンの下方に位置し、上方開口部を有するケーシングと、
ケーシング内で駆動するスクリューとを有し、
円錐側面形スクリーンから剥がれ落ちたクラゲ細断物をケーシングとスクリューとの間の圧縮作用により搬送二次脱水し、細断することを特徴とするクラゲ脱水装置。
【発明の詳細な説明】
【技術分野】
【０００１】
本発明は、クラゲを捕獲して脱水処理する方法および装置に係る。
【背景技術】
【０００２】
近年、大発生により大量のクラゲが漁網に魚とともにかかり、魚を傷つけて品質を低下させたり、漁網を破損させたりする等の問題が発生している。
このクラゲからは、コラーゲンといった有用なタンパク質が得られるが、クラゲの成分は殆どが水分であるため運搬効率が低く、一部食用として使用される他はそのまま廃棄されていた。
特開２００２−１３８４４６号公報には、クラゲを網で捕集して吸引管で回収する技術を開示するが、捕獲効率が悪く、使用範囲も限定されていた。
【０００３】
【特許文献１】特開２００２−１３８４４６号公報
【発明の開示】
【発明が解決しようとする課題】
【０００４】
本発明は上記技術的課題に鑑みて、クラゲを効率的に捕獲して脱水処理するクラゲ捕獲脱水方法と、船載可能なクラゲ捕獲脱水装置を提供することを目的とする。
【課題を解決するための手段】
【０００５】
本発明に係るクラゲの捕獲脱水方法は、細断装置を海に浮遊させて細断装置内に海水ごとクラゲを取り込んでクラゲを細断処理し、細断処理したクラゲ細断物を脱水装置に移送し、脱水装置でクラゲ細断物を脱水して船体に収納可能にしたことを特徴とする。
【０００６】
本発明に係るクラゲの捕獲脱水装置は、海に浮遊させて海水ごとクラゲを取り込んでクラゲを細断処理する細断装置と、クラゲ細断物を船体に収納可能に脱水処理する脱水装置と、細断装置から脱水装置にクラゲ細断物を移送する移送管とを備えたことを特徴とする。
ここでクラゲを海水ごと取り込むとは例えばポンプ吸引等により取り込むことをいう。
【０００７】
請求項３記載の発明の技術的要旨は、細断装置は、略筒形の筒部の内側に、クラゲを海水ごと筒部の取込口から吸引して排出口から送出するポンプと、クラゲを細断するカッターとを設け、筒部の外側に、細断装置を海に浮遊させるフロート部を設けてあることを特徴とする。
ここで略筒形の筒部とは、略管状で一方の開口側から他方の開口側へ送液可能であれば良く、例えば両方の開口の間の部分が曲がっていたり、異形状であっても良い。
【０００８】
請求項４記載の発明の技術的要旨は、細断装置に圧縮空気を供給する圧縮空気供給機を船体に備え、圧縮空気供給機が供給した圧縮空気を細断装置の筒部取込口側から筒部排出口側に向けて筒部内に噴出させることを特徴とする。
【０００９】
請求項５記載の発明の技術的要旨は、船体と細断装置とを連結する沈下量調節鎖を備えたことを特徴とする。
ここで、沈下量調節鎖とは例えば船体と細断装置とを連結する鎖の長さを調整したり、重り量を調整したりすることで細断装置の海中への沈み深さを調整する。
【００１０】
請求項６記載の発明の技術的要旨は、脱水装置は、クラゲ細断物を含む海水からクラゲ細断物を分離して一次脱水する遠心脱水機と、遠心脱水機で一次脱水したクラゲ細断物を二次脱水するスクリュー脱水機を有する点である。
【００１１】
請求項７記載の発明の技術的要旨は、遠心脱水機は、頂部を上方に配置した円錐側面形スクリーンを円錐軸方向に回転駆動する透水性の回転スクリーン体と、側面に削取口を有するシュート付スクレーパーとを有し、海水を含むクラゲ細断物を円錐側面形スクリーン内面に吹き付けて遠心作用により一次脱水し、円錐側面形スクリーン内面に付着したクラゲ細断物は、一部はシュート付スクレーパーの削取口から送出して、円錐側面形スクリーンから剥がれ落ちたクラゲ細断物は落下させ、スクリュー脱水機は、遠心脱水機の円錐側面形スクリーンの下方に位置し、上方開口部を有するケーシングと、ケーシング内で駆動するスクリューとを有し、円錐側面形スクリーンから剥がれ落ちたクラゲ細断物をケーシングとスクリューとの間の圧縮作用により搬送二次脱水し、細断することを特徴とする。
【００１２】
請求項８記載の発明の技術的要旨は、細断装置および脱水装置に圧力水を供給する圧力水供給機を備え、細断装置は圧力水供給機が供給した圧力水で回転駆動してポンプおよびカッターを駆動するタービンを有し、脱水装置は圧力水供給機が供給した圧力水で回転駆動して遠心脱水機の回転スクリーン体とスクリュー脱水機のスクリューを駆動するタービンを有することを特徴とする。
【００１３】
請求項９に記載のクラゲの細断装置は、本発明に係るクラゲの捕獲脱水装置を構成する要部となるもので、略筒形の筒部の内側に、クラゲを海水ごと筒部の取込口から吸引して排出口から送出するポンプと、クラゲを細断するカッターとを設け、筒部の外側に、筒部取込口を海中に沈めた状態で浮力により細断装置を海に浮遊させるフロート部を設けてあることを特徴とする。
【００１４】
請求項１０に記載のクラゲの脱水装置は、本発明に係るクラゲの捕獲脱水装置を構成する要部となるもので、クラゲ細断物を一次脱水する遠心脱水機と二次脱水するスクリュー脱水機を備え、遠心脱水機は、頂部を上方に配置した円錐側面形スクリーンを円錐軸方向に回転駆動する透水性の回転スクリーン体と、側面に削取口を有するシュート付スクレーパーとを有し、海水を含むクラゲ細断物を円錐側面形スクリーン内面に吹き付けて遠心作用により一次脱水し、円錐側面形スクリーン内面に付着したクラゲ細断物は、一部はシュート付スクレーパーの削取口から送出して、円錐側面形スクリーンから剥がれ落ちたクラゲ細断物は落下させ、スクリュー脱水機は、遠心脱水機の円錐側面形スクリーンの下方に位置し、上方開口部を有するケーシングと、ケーシング内で駆動するスクリューとを有し、円錐側面形スクリーンから剥がれ落ちたクラゲ細断物をケーシングとスクリューとの間の圧縮作用により搬送二次脱水し、細断することを特徴とする。
【発明の効果】
【００１５】
本発明に係るクラゲの捕獲脱水方法においては、海上に浮遊する細断装置で細断したクラゲ細断物を海水ごと、船側の脱水装置に送り脱水処理するため、捕獲したクラゲを効率よく海中から船側に移送出来、また、細断化してあるため効率良く脱水出来る。
これにより、成分のほとんどが水分であるクラゲを効率的に減量化出来るため、クラゲを資源化して、例えば健康分野・医療分野・食料分野等の原料に活用出来る。
クラゲの捕獲脱水装置は船載出来るために、例えば漁網内や漁網付近などの希望する場所で簡単に使用して、クラゲを捕獲して脱水処理出来る。
【００１６】
細断装置は、筒部内にポンプとカッターを有してフロート部浮力で海上に浮遊させるシンプルな構造であるため、コンパクトに形成して容易に船載し、所定位置で海中に移すことが出来る。
そして、排出口に向けて筒部内に圧縮空気を噴出させると、エアレーション効果によりクラゲ細断物を含む海水の流動性を高めて、移送管におけるクラゲ細断物の移送効率をより高めることが出来る。
また、細断装置を船体側と、船体からの送出長さを調節可能な沈下量調節鎖で連結させると、沈下量調節鎖を海中に沈める長さを調節することで簡単に取込口深さを調節出来るため、より効率的に海中のクラゲを細断装置内に取り込むことが出来る。
【００１７】
脱水装置は、クラゲ細断物を遠心脱水機で海水と分離して一次脱水し、遠心脱水機で一次脱水したクラゲ細断物をスクリュー脱水機で二次脱水すると、クラゲ細断物を効率的に脱水処理出来る。
脱水装置の遠心脱水機は、クラゲ細断物を含む海水を回転駆動する円錐側面形スクリーン内面に吹き付けて遠心作用により一次脱水し、円錐側面形スクリーンの内面に付着したクラゲ細断物の一部をシュート付スクレーパーで回収して、円錐側面形スクリーンの内面から剥がれ落ちたクラゲ細断物をスクリュー脱水機内に落下させて二次脱水すると、クラゲ細断物を、脱水装置を停止させることなく連続的に脱水処理出来る。
【００１８】
細断装置および脱水装置は、船体側から供給した圧力水で駆動するタービンで駆動させると、回転数や回転速度の調整がしやすく、また電気駆動とした場合に比較して感電や漏電の事故の恐れがないため安全になる。
【発明を実施するための最良の形態】
【００１９】
本発明に係るクラゲ捕獲脱水方法および装置について、以下図面を用いて説明する。
図１はクラゲを捕獲脱水するクラゲ捕獲脱水装置１０の説明図を示す。
クラゲ捕獲脱水装置１０は、いずれも船体５に船載可能な細断装置２０と、脱水装置４０と、移送管３０とを備えている。
細断装置２０は、クラゲ捕獲脱水装置１０を使用する海上の所定位置において、図１に示すように船体５上から海４内に移して、浮力により海上に浮遊させる。
この時、脱水装置４０は船体５の上に配設してあり、可撓性の移送管３で浮遊状態の細断装置２０と繋いである。
細断装置２０は、このように海４に浮遊した状態で海中側に設けた取込口２０ａから海水ごとクラゲ１を細断装置２０内に取り込み、クラゲ１を細断処理して移送管３０へポンプにより送出する。
細断装置２０が細断したクラゲ細断物は移送管３０を通して脱水装置４０に送られる。
このクラゲ細断物を細断装置２０から移送管３０を通して脱水装置４０に送るポンプは、細断装置２０と移送管３０と脱水装置４０のいずれに設けてあってもよいが、例えば細断装置２０と脱水装置４０にそれぞれ設けると、クラゲ細断物を含む海水を移送管３０を通して効率良く送ることが出来る。
脱水装置４０はクラゲ細断物を含む海水からクラゲ細断物を分離して、クラゲ細断物を脱水して船体に収納して運搬しやすいものとする。
【００２０】
図２（ａ）は細断装置２０の内部構造の説明図を示す。
細断装置２０は略筒形の筒部２１の外面にフロート部２２を取付けて、筒部２１内にタービン２５とポンプ２３とカッター２４とを配設してある。
筒部２１は下部の開口側に取込口２０ａを設けて、上部の開口側に排出口２０ｂを設けてある。
フロート部２２上部には、船体上に配設してある圧縮空気供給機（図示省略）から圧縮空気を供給する供給管１２が接続してある。
供給管１２から供給された圧縮空気は、フロート部２２内側の空洞部２２ａに導入した後に、取込口２０ａ側に設けた圧縮空気噴出孔２２ｂから排出口２０ｂ側に向けて噴出上昇させるようにしてある。
そしてフロート部２２下部には、船体５からその送出長さを巻揚げ機等で調節可能に送出してある沈下量調節鎖１１が連結してある。
フロート部２２は、フロート部２２の浮力により排出口２２ｂを上方に向けて取込口２０ａを所定深さ海中に沈めた状態で、海上に細断装置２０を浮遊させる
取込口２０ａを海中に沈める深さは、沈下量調節鎖１１を海中へ送出する長さを変えることで海中分の沈下量調節鎖１１の重さを変えて調節する。
タービン２５は船体上に配設してある圧力水供給機（図示省略）から供給管１３を通して供給された圧力水で回転駆動し、タービン２５に回転軸２６で連結してあるポンプ２３およびカッター２４を駆動する。
タービン２５を駆動した圧力水の排水口２５ａは排出口２０ｂ方向に向けてある。
【００２１】
カッター２４の水平方向断面の一部を拡大した模式図を図２（ｂ）に示す。
カッター２４は、略円筒形の金属製で略円筒形の側面を貫通するスリット２４ａを設け、細断刃２４ｂをスリット２４ａの回転方向後ろ側の縁部から内斜め前向きに延出させ、送液羽根２４ｃをスリット２４ａの回転方向前側の縁部から外斜め後ろ向きに延出させてある。
カッター２４は、回転駆動することで送液羽根２４ｃ及び細断刃２４ｂでスリット２４ａを内側から外側に流れる海水の流れを作り、細断刃２４ｂおよびスリット２４ａの縁部で海水とともに流れようとするクラゲを細断する。
この送液羽根２４ｃは、回転することで排出口２０ｂ側へ向かう水流を形成し、細断したクラゲ細断物を海水ごと排水口２０ｂへ送るように設けてある。
細断装置２０は、海中に所定深さ沈下した浮遊状態でポンプ２３が駆動することで生じる取込口２０ａから排出口２０ｂに向かう水流により、取込口２０ａから海水ごとクラゲ１を筒部２１内に取り込みつつ、回転駆動するカッター２４でクラゲを細断処理する。
そして、このクラゲ細断物２を含む海水２ａを、圧縮空気噴出孔２２ｂから噴出させた圧縮空気のエアレーション効果により流動性を高めつつ、ポンプ２３の送出力により排出口２０ｂから移送管３０に送出する。
【００２２】
図３（ａ）は脱水装置４０の内部構造の説明図を示す。
脱水装置４０は、容器４１内の上側に遠心脱水機５０を設け、下側にスクリュー脱水機６０を設けてある。
遠心脱水機５０は、透水性材よりなる円錐側面形スクリーン５２を回転軸５３で回転駆動する回転スクリーン体５１と、シュート５７ｂに連通する削取口５７ａを有するシュート付スクレーパーと５７と、移送管３０に接続してあって噴出口５４ａを円錐側面形スクリーン５２ａの内面に向けてある噴出部５４を有している。
円錐側面形スクリーン５２は略円錐形で頂部を上方に向け下部を下方開口部５２ａで開口してあり、縦方向に設けてある回転軸５３で円錐軸方向に回転駆動する。
この回転軸５３は、船体上に配設してある圧力水供給機（図示省略）から供給管１３を通して供給された圧力水で回転駆動するタービン５６の駆動力により駆動する。
タービン５６を駆動した圧力水の排水口５６ａは脱水装置容器４１内に設けてある。
噴出部５４は移送管３０から送出されたクラゲ細断物２を含む海水２ａを円錐側面形スクリーン５２の内面に向けて噴出させるように、噴出口５４ａ内に吸込み飛散ポンプ５５を設けてある。
遠心脱水機４０は、クラゲ細断物２を含む海水２ａを、回転駆動する円錐側面形スクリーン５２の内面に噴出部５４で吹き付けて円錐側面形スクリーン内面にクラゲ細断物２を付着させて海水とクラゲ細断物２とを分離し、遠心力の作用でクラゲ細断物２を脱水（一次脱水）する。
シュート付スクレーパー５７は、円錐側面形スクリーン５２の内面に付着したクラゲ細断物２の一部を削取口５７ａで削り取ってシュート５７ｂに投入する。
シュート５７ｂは容器４１の外側のシュート４２に連通してあり、シュート５７ｂに投入されたクラゲ細断物２は脱水装置４０より送出されて、シュート４２により網底７１を有する収納容器７０等に集められる。
円錐側面形スクリーン５２の内面に付着したクラゲ細断物２のうち、例えば大きく重い等の理由でシュート付スクレーパー５７による回収前に円錐側面形スクリーン５２の内面への付着が剥がれたクラゲ細断物２は、円錐側面形スクリーン５２の下方開口部５２ａから下方へ落下する。
【００２３】
スクリュー脱水機６０は、ケーシング６３と、ケーシング６３内で駆動するスクリュー６１とを有している。
スクリュー６１はケーシング６３の排出口６４側に向けて横向きに設けた回転軸６２で駆動し、排出口６４側になるにつれてスクリュー羽根６１ａを先細に絞った先絞り形としてある。
回転軸６２は供給管１３から供給される圧力水で駆動するタービン６５で駆動される。
ケーシング６３はスクリュー６１に合わせて排出口６４側を先細にした略円錐形としてあり、その上部は遠心脱水機５０の円錐側面形スクリーン５２の下方開口部５２ａに合わせた上方開口部６３ｄで開口してある。
図３（ｂ）にスクリュー脱水機６０の回転軸６２方向から見た縦断面の模式図を示す。
ケーシング６３は、上側に拡げるように設けた受け片部６３ｃの間に上方開口部６３ｄを円錐側面形スクリーン５２の下方開口部５２ａに合わせて開口させてあり、これにより円錐側面形スクリーン５２の下方開口部５２ａから落下したクラゲ細断物２を受けてスクリュー６１に向けて流すようにしてある。
ケーシング６３の底部６３ａは、スクリュー羽根６１ａの下縁にほぼ沿うように形成してあって多数の排水孔６３ｂが設けてある。
スクリュー脱水機６０は、排出口６４に向けて底部６３内のクラゲ細断物２を細断しつつスクリュー搬送することで、排出口６４側になるに従ってスクリュー羽根６１ａ間とケーシング底部６３ａとの間の空間容積を先絞り形状で小さくしてクラゲ細断物２を圧縮して脱水（二次脱水）する。
脱水したクラゲ細断物２は排出口６４からシュート４２へ送出する。
シュート４２へ送出されたクラゲ細断物２は、網底７１を有する収納容器７０等に集められる。
このクラゲ捕獲脱水装置は腐食防止のために、細断装置の筒部やフロート部、脱水装置のシュート等は例えば繊維強化プラスチック製とすると良く、その他の金属部分は例えば静電塗装により樹脂被覆を設ける等の防錆処理をすると良い。
【図面の簡単な説明】
【００２４】
【図１】クラゲを捕獲脱水するクラゲ捕獲脱水装置の説明図を示す。
【図２】（ａ）は細断装置の内部構造の説明図を示し、（ｂ）はカッターの水平方向断面の一部を拡大した模式図を示す。
【図３】（ａ）は脱水装置の内部構造の説明図を示し、（ｂ）はスクリュー脱水機のスクリュー回転軸方向視の断面の模式図を示す。
【符号の説明】
【００２５】
１      クラゲ
２      クラゲ細断物
２ａ    クラゲ細断物を含む海水
４      海
５      船体
１０    クラゲ捕獲脱水装置
１１    沈下量調節鎖
１２    圧縮空気の供給管
１３    圧力水の供給管
２０    細断装置
２０ａ  取込口
２０ｂ  排出口
２１    筒部
２２    フロート部
２２ａ  空洞部
２２ｂ  圧縮空気噴出孔
２３    ポンプ
２４    カッター
２４ａ  スリット
２４ｂ  細断刃
２４ｃ  送液羽根
２５    タービン
２５ａ  排水口
２６    回転軸
３０    移送管
４０    脱水装置
４１    脱水装置容器
４２    シュート
５０    遠心脱水機
５１    回転スクリーン体
５２    円錐側面形スクリーン
５２ａ  下方開口部
５３    回転軸
５４    噴出部
５４ａ  噴出口
５５    吸込み飛散ポンプ
５６    タービン
５６ａ  排水口
５７    シュート付スクレーパー
５７ａ  削取口
５７ｂ  シュート
６０    スクリュー脱水機
６１    スクリュー
６１ａ  スクリュー羽根
６２    回転軸
６３    ケーシング
６３ａ  底部
６３ｂ  排水孔
６３ｃ  受け片部
６３ｄ  上方開口部
６４    排出口
６５    タービン
７０    収納容器
７１    網底
【図１】
2008167707.tif 000003
【図２】
2008167707.tif 000004
【図３】
2008167707.tif 000005